(57)【要約】【課題】巻き芯に機能性薬剤を含浸させた従来のトイレットロールは、その薬剤機能が長続きせず、トイレットロールの使用終了時においては、その薬剤機能が極端に低下する。【解決手段】図柄１５が印刷された本発明によるトイレットロール１０は、図柄１５を印刷するために用いられるインキが衛生用薬剤を含み、衛生用薬剤が消臭剤，芳香剤，抗菌剤，消毒剤，洗浄剤のうちの少なくとも１つを含む。この場合、表裏で平滑性が異なるトイレットロール１０の平滑性の高い方の面１１ａに図柄１５を印刷することが好ましい。また、複数枚のシート１１，１２を積層してなるトイレットロール１０の場合、図柄１５を少なくとも１枚のシート１１の重ね合わせ面１１ａ側に印刷することも有効である。【選択図】図２
2015167736.tif 000002
【特許請求の範囲】
【請求項１】
図柄が印刷されたトイレットロールであって、前記図柄を印刷するために用いられるインキが衛生用薬剤を含むことを特徴とするトイレットロール。
【請求項２】
衛生用薬剤が消臭剤，芳香剤，抗菌剤，消毒剤，洗浄剤のうちの少なくとも１つを含むことを特徴とするトイレットロール。
【請求項３】
表裏で平滑性が異なるトイレットロールの平滑性の高い方の面に図柄が印刷されていることを特徴とする請求項１または請求項２に記載のトイレットロール。
【請求項４】
トイレットロールが複数枚のシートを積層してなり、前記図柄が少なくとも１枚のシートの重ね合わせ面側に印刷されていることを特徴とする請求項１から請求項３の何れかに記載のトイレットロール。
【請求項５】
ヤンキードライヤーを通して抄紙された原紙を用意するステップと、
ヤンキードライヤーのシリンダーに当接した側の原紙の面に図柄を印刷するステップとを具え、図柄を印刷するために用いられるインキが衛生用薬剤を含むこと特徴とするトイレットロールの製造方法。
【発明の詳細な説明】
【技術分野】
【０００１】
本発明は、衛生用薬剤を用いたトイレットロールおよびその製造方法に関する。
【背景技術】
【０００２】
トイレットロールの巻き芯の部分に消臭剤や芳香剤などの機能性薬剤を含浸させ、消臭機能や芳香発散効果を持たせたトイレットロールが特許文献１〜３などで提案されている。
【先行技術文献】
【特許文献】
【０００３】
【特許文献１】特開２００１−３２７４３０号公報
【特許文献２】特開２０１３−６０３０６号公報
【特許文献３】特開２０１３−７０８１５号公報
【発明の概要】
【発明が解決しようとする課題】
【０００４】
巻き芯に消臭剤や芳香剤を含浸させた従来のトイレットロールは、消臭機能や芳香発散効果が長続きせず、トイレットロールの使用終了時においては、その機能や効果が極端に低下してしまう欠点があり、さらなる改善が望まれる。
【０００５】
また、更なる機能を追加したトイレットロールに対する要求も少なくない。
【０００６】
本発明の目的は、使用開始時のみならず、使用終了時であっても所望の機能を継続的に発揮させることができるトイレットロールおよびその製造方法を提供することにある。
【課題を解決するための手段】
【０００７】
本発明の第１の形態は、図柄が印刷されたトイレットロールであって、前記図柄を印刷するために用いられるインキが衛生用薬剤を含むことを特徴とする。
【０００８】
本発明が意図する図柄とは、人物，動物，植物，乗り物，食べ物，道具，衣服，玩具，建築物，自然の造形物，星座，神話や昔話の登場人物，アニメーションキャラクターなどの絵または写真や、文字、記号、図形、模様およびこれらの組み合わせを含む。さらに、背景やこれらの色相などの相違も包含される。
【０００９】
本発明によるトイレットロールにおいて、衛生用薬剤が消臭剤，芳香剤，抗菌剤，消毒剤，洗浄剤のうちの少なくとも１つを含むことができる。より具体的には、消臭剤としては、例えば特許文献２に開示されているような無機多孔質体の微粉末を挙げることができる。芳香剤としては、各種精油などを挙げることができる。抗菌剤としては、例えば銅ゼオライトや銀ゼオライトの他にハーブやユーカリなどの天然抗菌剤を挙げることができる。消毒剤としては、例えば塩化ベンザルコニウムやパラベンを挙げることができる。洗浄剤としては、例えば陽イオン界面活性剤，陰イオン界面活性剤，非イオン界面活性剤，両性イオン界面活性剤などの界面活性剤の他にクエン酸を挙げることができる。何れも、皮膚接触を伴うことに配慮して適当の溶媒を用い、好ましい希釈状態でインキに添加することが好ましい。また、量的に人体に対する安全性に関して問題がないものであれば、他の適当な衛生用薬剤を用いることも可能である。
【００１０】
トイレットロールに図柄を印刷するためのインキは、人体に悪影響を与えないものであることが必要であり、上述した衛生用薬剤を添加した場合であっても、化学的変化を起こさないものであることが望まれる。このようなインキとしては、油性または水性を問わず、公知の種々のインキを用いることができる。好適には、水溶性インキであって、顔料と、水性ワニス（合成樹脂および水）と、添加剤とを含み、溶剤としてエタノールを４％未満含有し、バインダー樹脂としてエポキシ変性ポリアミド樹脂を用いたものを挙げることができる。上述したエポキシ変性ポリアミド樹脂は、ポリアルキレンポリアミンを必須成分とするポリアミン成分およびジカルボン酸成分を、アミノ基が過剰に存在する条件のもとで反応させて生成されるポリアミドポリアミンに、更にエピハロヒドリンを反応させて得られるエポキシ変性ポリアミド樹脂である。このような水溶性インキを用いて印刷すれば、柔らかな風合いを損なわず、かつインキの裏抜けや紙の縮れを抑制して印刷を行うことができる。
【００１１】
表裏で平滑性が異なるトイレットロールの平滑性の高い方の面に図柄を印刷することが好ましい。
【００１２】
トイレットロールが複数枚のシートを積層したものである場合、図柄を少なくとも１枚のシートの重ね合わせ面側に印刷することが好ましい。
【００１３】
本発明の第２の形態は、ヤンキードライヤーを通して抄紙された原紙を用意するステップと、ヤンキードライヤーのシリンダーに当接した側の原紙の面に図柄を印刷するステップとを具え、図柄を印刷するために用いられるインキが衛生用薬剤を含むこと特徴とするトイレットロールの製造方法にある。
【発明の効果】
【００１４】
本発明のトイレットロールによると、図柄を印刷するために用いられるインキが衛生用薬剤を含むので、使用開始時から使用終了に至るまで所望の機能を継続的に発揮させることができる。また、図柄が印刷されているので、楽しく使うことも期待できる。
【００１５】
衛生用薬剤が抗菌剤や消毒剤を含む場合、臀部をより清浄に払拭することができ、しかも使用後のトイレットペーパーによって便器自体の衛生状態が多少とも改善される。また、衛生用薬剤が洗浄剤を含む場合、便器に対して使用後のトイレットペーパーにより洗浄効果を与えることができる。
【００１６】
表裏で平滑性が異なるトイレットロールの平滑性の高い方の面に図柄を印刷した場合、複雑な図柄であっても、その明瞭性を高めることができる。
【００１７】
複数枚のシートを積層したトイレットロールにおいて、図柄を少なくとも１枚のシートの重ね合わせ面側に印刷した場合、衛生用薬剤を使用者の皮膚に直接接触しない状態にすることができる。
【００１８】
本発明のトイレットロールの製造方法によると、平滑性がより高い方のトイレットロールの面に図柄が印刷される結果、複雑な図柄であっても、その明瞭性を高めることができる。しかも、トイレットロールの使用開始時から使用終了に至るまで、衛生用薬剤に関する所望の機能を継続的に発揮させることができる。
【図面の簡単な説明】
【００１９】
【図１】本発明を２枚合わせ（ダブルタイプ）のトイレットロールに適用した一実施例の外観を表す立体投影図である。
【図２】図１に示したトイレットロールの構造を模式的に表す断面図である。
【図３】図１に示したトイレットロールの原紙の製造設備の一例を模式的に表す概念図である。
【発明を実施するための形態】
【００２０】
本発明を２枚合わせ（ダブルタイプ）のトイレットロールに応用した実施形態について、図１〜図３を参照しながら詳細に説明する。しかしながら、本発明はこのような実施形態に限らず、シングルタイプあるいは３枚合わせのトイレットロールに対しても適用可能である。
【００２１】
本発明の対象となるトイレットロールの実施形態の外観を図１に示す。本実施形態におけるトイレットロール１０は、水解性の表面ティシュ１１と同じく水解性の裏面ティシュ１２とを重ね合わせた積層連続シート１３を円筒状の巻き芯１４に所定長巻回したものである。
【００２２】
表面ティシュ１１の裏面ティシュ１２との重ね合わせ面１１ａには、所望の図柄１５がインクを用いて印刷されている。表面ティシュ１１の重ね合わせ面１１ａは、その反対側の表面よりも平滑性が高くなっており、図柄１５をより細密に印刷することが可能である。通常、トイレットロール１０の原紙を抄紙する場合、後述するヤンキードライヤーのシリンダーに当接する側がその反対側よりも平滑性が高くなる傾向を持つ。従って、原紙のヤンキードライヤーのシリンダーに当接する側を表面ティシュ１１の重ね合わせ面１１ａに設定し、ここに図柄１５を印刷することが有効である。図柄１５を印刷するためのインキには、衛生用薬剤が含まれており、この衛生用薬剤は消臭剤，芳香剤，抗菌剤，消毒剤，洗浄剤のうちの少なくとも１つを含む。
【００２３】
このように、図柄１５を表面ティシュ１１の重ね合わせ面１１ａに印刷しているので、図柄１５が表面ティシュ１１を通して外側から透かして見える状態となり、柔らかな印象を表面ティシュ１１に与えることができる。また、衛生用薬剤やインキがダイレクトに使用者の皮膚に接触する可能性が少なくなり、より高い安全性を確保することができる。
【００２４】
一方、裏面ティシュ１２には、表面ティシュ１１の重ね合わせ面１１ａ側に突出するように多数の円錐台形状のエンボス部１６が形成されている。このようなエンボス部１６を表面ティシュ１１の重ね合わせ面１１ａ側に突出させたことにより、裏面ティシュ１２の表面の手触りを良好に保つことができる。裏面ティシュ１２に形成されるエンボス部１６のパターンは、必要に応じて図示以外の任意のパターンのものを採用することが可能であるが、エンボス部１６を形成することは本発明において必須ではない。しかしながら、このようなエンボス部を表面ティシュ１１に形成することも可能である。
【００２５】
表面ティシュ１１および裏面ティシュ１２となる原紙の抄紙設備を模式的に図３に示す。すなわち、この抄紙設備は、ワイヤーパートＰＷと、プレスパートＰＰと、ドライパートＰＤと、カレンダーパートＰＣと、リールパートＰＲとを具えている。
【００２６】
ワイヤーパートＰＷでは、水分を大量に含むあらかじめ成分が調製された紙料をヘッドボックス２０からフォーミングユニット２１の外側ワイヤー２１ａと末端部がプレスパートＰＰに接続する内側ワイヤー２１ｂとの間に供給する。そして、ティシュペーパーの原型となる紙層Ｃをこれらの間で形成させる。紙料に含まれる大量の水分がここで脱水され、紙層Ｃがフォーミングユニット２１の内側ワイヤー２１ｂにて形成され、紙層Ｃの地合いが整えられる。
【００２７】
プレスパートＰＰでは、ワイヤーパートＰＷにて形成された紙層Ｃに圧力を掛け、この紙層Ｃに含まれる水分が搾り取られる。ここでは、紙層Ｃの表面を平滑にすると同時に紙層Ｃの主要部を構成するパルプ成分の密度を高め、強固な紙層Ｃを形成する。
【００２８】
ドライパートＰＤでは、プレスパートＰＰを経て湿った状態にある紙層Ｃの余分な水分をヤンキードライヤー２２によって加熱することにより、強制的に蒸発させ、これによって紙層Ｃを乾燥させる。ヤンキードライヤー２２のシリンダー２３に巻き付けられて乾燥した紙層Ｃは、ドクターブレード２４によってシリンダー２３の表面から剥離され、カレンダーパートＰＣへと搬出される。
【００２９】
カレンダーパートＰＣでは、ほぼ完成された状態の紙Ｃを一対のカレンダーロール２５の間を通すことにより、紙Ｃの表面を平滑に仕上げてその密度および強度を高める。
【００３０】
リールパートＰＲでは、できあがった紙Ｃ、つまり一枚のティシュペーパーとなる原紙Ｃをロール状に巻き取る。この工程を経て得られたティシュペーパーのロール状原紙を２本用意し、別な工程にてこれらを引き出して重ね合わせ、所望の寸法に切断することにより、一般にみられるような２枚合わせのティシュロール１０が得られる。
【００３１】
この場合、カレンダーパートＰＣとリールパートＰＲとの間を移動する原紙Ｃに対して図柄１５を印刷するか、あるいは原紙を巻き戻してログを形成する際に図柄１５を印刷することができる。上述した抄紙設備にて図柄１５を印刷する場合、印刷機２６がカレンダーパートＰＣとリールパートＰＲとの間に配され、ヤンキードライヤー２２のシリンダー２３に当接する側の原紙Ｃの表面に図柄１５が印刷される。
【００３２】
上述した実施形態では図柄１５を表面ティシュ１１の重ね合わせ面１１ａに印刷したが、裏面ティシュ１２の重ね合わせ面１２ａに印刷することも可能であり、何れか一方のみ、あるいは両方に図柄を印刷するようにしてもよい。
【００３３】
なお、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のないあらゆる構成を含め、その用途や目的などに応じて任意に変更し得るものである。
【符号の説明】
【００３４】
１０  トイレットロール
１１  表面ティシュ
１１ａ  重ね合わせ面
１２  裏面ティシュ
１２ａ  重ね合わせ面
１４  巻き芯
１５  図柄
２２  ヤンキードライヤー
２３  シリンダー
２６  印刷機
ＰＤ  ドライパート
Ｃ  原紙
Ｃａ  ヤンキードライヤーのシリンダーに当接する側の原紙の表面
【図１】
2015167736.tif 000003
【図２】
2015167736.tif 000004
【図３】
2015167736.tif 000005